(57)【要約】【課題】入賞ユニットのデザイン性が優れた遊技機を提供する。【解決手段】遊技球を大入賞口３６へ入賞可能とする開状態と、入賞不能とする閉状態とに変換可能な大入賞ユニット２７を備えたパチンコ遊技機において、大入賞ユニット２７のうち遊技者側に臨む前面には、装飾Ｄが施された前面構成部１０１を備え、該前面構成部１０１のうち大入賞口３６の下方には、遊技球が上面を転動可能な球誘導部１２１を遊技者側へ突出した状態で備え、球誘導部１２１は、前面構成部１０１の装飾Ｄを遊技者側から視認可能とする装飾視認部として機能する。【選択図】図１０
2016154676.tif 000002
【特許請求の範囲】
【請求項１】
遊技球を入賞口へ入賞可能とする開状態と、入賞不能とする閉状態とに変換可能な入賞ユニットを備えた遊技機において、
前記入賞ユニットのうち遊技者側に臨む前面には、装飾が施された前面構成部を備え、
該前面構成部のうち前記入賞口の下方には、遊技球が上面を転動可能な球誘導部を遊技者側へ突出した状態で備え、
前記球誘導部は、前記前面構成部の装飾を遊技者側から視認可能とする装飾視認部を備えたことを特徴とする遊技機。
【請求項２】
前記装飾視認部は、前記球誘導部の少なくとも一部を透光部材で形成して構成されることを特徴とする請求項１に記載の遊技機。
【請求項３】
前記装飾視認部は、前記球誘導部のうち前記前面構成部の装飾と重なる箇所を開放して構成されることを特徴とする請求項１に記載の遊技機。
【請求項４】
前記球誘導部の上面のうち遊技者側の縁部には、球落下阻止突起を遊技球の半径以上の高さで立設したことを特徴とする請求項１から請求項３のいずれかに記載の遊技機。
【発明の詳細な説明】
【技術分野】
【０００１】
本発明は、遊技球を入賞口へ入賞可能とする開状態と、入賞不能とする閉状態とに変換可能な入賞ユニットを備えたパチンコ遊技機等の遊技機に関する。
【背景技術】
【０００２】
従来、パチンコ遊技機においては、遊技領域が形成された遊技盤に液晶表示器等からなる演出表示装置を設け、演出表示装置において所定ゲームを行い、このゲームの結果が特定の結果態様となると、遊技者に遊技価値を付与する特別遊技状態が発生するものが一般的である。
【０００３】
そして、遊技領域には、入賞口を備えた入賞ユニットと、入賞口へ入賞しなかった遊技球を遊技領域外へ排出するアウト口とを配設し、遊技球の入賞口への入賞により所定の遊技価値を付与する契機が発生するように構成されている。さらに、入賞ユニットには球誘導部を備え、入賞口へ入賞しなかった遊技球を球誘導部によってアウト口へ誘導する旨が提案されている（例えば、特許文献１参照）。
【先行技術文献】
【特許文献】
【０００４】
【特許文献１】特開２０１２−０１０８３８号公報
【発明の概要】
【発明が解決しようとする課題】
【０００５】
ところで、上記特許文献に記載の入賞ユニットは、球誘導部の装飾が簡素であり、入賞ユニットのデザイン性が乏しい。
【０００６】
そこで、本発明は、上記の事情に鑑みてなされたものであり、その目的は、入賞ユニットのデザイン性が優れた遊技機を提供しようとするものである。
【課題を解決するための手段】
【０００７】
本発明は、上記目的を達成するために提案されたものであり、請求項１に記載のものは、遊技球を入賞口へ入賞可能とする開状態と、入賞不能とする閉状態とに変換可能な入賞ユニットを備えた遊技機において、
前記入賞ユニットのうち遊技者側に臨む前面には、装飾が施された前面構成部を備え、
該前面構成部のうち前記入賞口の下方には、遊技球が上面を転動可能な球誘導部を遊技者側へ突出した状態で備え、
前記球誘導部は、前記前面構成部の装飾を遊技者側から視認可能とする装飾視認部を備えたことを特徴とする遊技機である。
【０００８】
請求項２に記載のものは、前記装飾視認部は、前記球誘導部の少なくとも一部を透光部材で形成して構成されることを特徴とする請求項１に記載の遊技機である。
【０００９】
請求項３に記載のものは、前記装飾視認部は、前記球誘導部のうち前記前面構成部の装飾と重なる箇所を開放して構成されることを特徴とする請求項１に記載の遊技機である。
【００１０】
請求項４に記載のものは、前記球誘導部の上面のうち遊技者側の縁部には、球落下阻止突起を遊技球の半径以上の高さで立設したことを特徴とする請求項１から請求項３のいずれかに記載の遊技機である。
【発明の効果】
【００１１】
本発明によれば、前面構成部に球誘導部を備えたとしても、前面構成部の装飾が遊技者から見えなくなってしまうことがない。したがって、入賞ユニットのデザイン性が優れた遊技機を実現し易い。
【図面の簡単な説明】
【００１２】
【図１】パチンコ遊技機の斜視図である。
【図２】遊技盤の正面図である。
【図３】遊技盤の分解斜視図である。
【図４】遊技ベースユニットからセンターケースおよび各入賞装置を外した分解斜視図である。
【図５】センターケースの分解斜視図である。
【図６】上部発光装飾ユニットの分解斜視図である。
【図７】側部発光装飾ユニットの分解斜視図である。
【図８】各発光装飾ユニットにおける光の拡散を説明する模式図である。
【図９】大入賞ユニットの正面図である。
【図１０】大入賞ユニットの分解斜視図である。
【図１１】制御ユニットの分解斜視図である。
【図１２】フレームユニットの分解斜視図である。
【図１３】演出非実行状態における各可動演出ユニットの説明図であり、（ａ）は正面図、（ｂ）は各左側係合部と左側規制部材との係合状態の説明図である。
【図１４】演出非実行状態から第１演出実行状態へ変換する途中における各可動演出ユニットの説明図であり、（ａ）は正面図、（ｂ）は各左側係合部と左側規制部材との係合状態の説明図である。
【図１５】第１演出実行状態における各可動演出ユニットの説明図であり、（ａ）は正面図、（ｂ）は各左側係合部と左側規制部材との係合状態の説明図である。
【図１６】第２演出実行状態における各可動演出ユニットの説明図であり、（ａ）は正面図、（ｂ）は各左側係合部と左側規制部材との係合状態の説明図である。
【図１７】上側役物ユニットの分解斜視図である。
【図１８】上側役物ユニットの正面図であり、（ａ）は演出非実行状態、（ｂ）は演出実行状態である。
【図１９】上側役物ユニットの背面図であり、（ａ）は演出非実行状態、（ｂ）は演出実行状態である。
【図２０】演出実行状態における上側役物ユニットの斜視図である。
【図２１】遊技制御装置を中心に示した制御系統のブロック図である。
【図２２】演出制御装置を中心に示した制御系統のブロック図である。
【図２３】球誘導部が一体成型された前面装飾パネルの説明図であり、（ａ）は正面図、（ｂ）は断面図である。
【図２４】球誘導部が一体成型された前面装飾パネルの斜視図である。
【発明を実施するための形態】
【００１３】
以下、代表的な遊技機であるパチンコ遊技機を例に挙げて図面に基づき説明する。なお、説明の便宜上、パチンコ遊技機に対して遊技者側を「前」または「表」と称し、パチンコ遊技機を挟んで遊技者とは反対側を「後」または「裏」と称す。
パチンコ遊技機１は、図１に示すように、矩形状の機枠（外枠）２の一側（図１中、左側）に前面枠（内枠）３を開閉可能な状態で軸着し、該前面枠３内には、発射装置（図示せず）により発射された遊技球が流下可能な遊技領域５が表面に区画形成された矩形状の遊技盤６（図２参照）を収納可能としている。また、前面枠３の表面のうち機枠２への軸着側（図１中、左側）には透明部材保持枠８を開閉可能に設け、該透明部材保持枠８に透視可能な透明部材９を保持し、透明部材９を通して遊技領域５をパチンコ遊技機１の前方から透視できるように構成している。さらに、透明部材保持枠８の上部の左右両側には、効果音を発する上スピーカ１１を備え、透明部材保持枠８の下部には上皿ユニット１３を備え、透明部材保持枠８の下方には下皿ユニット１４を配置している。そして、透明部材保持枠８の一側縁（図１中、右側縁）には、パチンコ遊技機１の機種名やメーカー名を表記する等して装飾を施した保持枠突出部８ａを前方へ突設し、隣の席から当該パチンコ遊技機１の遊技進行が覗き見られることを保持枠突出部８ａにより抑制するように構成されている。また、下皿ユニット１４の一側方（図１中、右側方）には、発射装置を操作するための発射操作ユニット（発射操作ハンドル）１５を備え、下皿ユニット１４の左右両側方には、効果音を発する下スピーカ１６を備え、上皿ユニット１３の前側には、遊技中に遊技者が操作するための遊技演出ボタン１７を備えている。
【００１４】
遊技盤６は、図２から図４に示すように、遊技板１９の表面に複数のサイドケース２０を枠状に連結した状態で止着して遊技領域５を区画形成した遊技ベースユニット２１を基部とし、遊技領域５には、中央部が大きく開口されたセンターケース（前面構成体）２３、入賞装置（普図始動ゲート２４、始動入賞ユニット２５、一般入賞ユニット２６、大入賞ユニット２７）等の遊技用部材、風車２８や障害釘（図示せず）を配設している。具体的には、遊技領域５の中央部分にセンターケース２３を配設し、該センターケース２３の一側方（図２中、右側方）には普図始動ゲート２４を配設し、遊技球の普図始動ゲート２４への入賞（通過）を始動条件（普図始動条件）として普図変動表示ゲームを実行可能としている。また、センターケース２３の下方には、上側の第１始動入賞口３１と下側の第２始動入賞口３２とが上下に並んで備えられた始動入賞ユニット２５を配設し、第２始動入賞口３２には普通電動役物（開閉部材）３２ａを備え（図４参照）、普図変動表示ゲームの結果に応じて普通電動役物３２ａを開閉可能としている。さらに、始動入賞ユニット２５の一側方（図２中、左側方）には、複数（本実施形態においては３つ）の一般入賞口３４が備えられた一般入賞ユニット２６を配設し、他側方（図２中、右側方）には、大入賞口３６および一般入賞口３７が備えられた大入賞ユニット２７を配設している。また、始動入賞ユニット２５の下方に位置する遊技領域５の下端には、入賞せずに流下してきた遊技球を回収するアウト口３８を遊技盤６の板厚方向（表裏方向）に貫通して開設し、遊技領域５のうち遊技用部材の取付部分を除いた箇所には風車２８や複数の障害釘（図示せず）を植設している。そして、サイドケース２０の一側の下部（図２中、右下部）には一括表示装置３９を備え、該一括表示装置３９において普図変動表示ゲーム、特図変動表示ゲーム（第１特図変動表示ゲーム，第２特図変動表示ゲーム）、遊技状態の表示等を行うように構成されている。なお、大入賞ユニット２７については、後で詳細に説明する。
【００１５】
また、遊技ベースユニット２１の裏面側には、図３に示すように、中央部が大きく開口された制御ユニット（裏面構成体）４１を装着し、該制御ユニット４１の裏側には表示装置４２を装着して制御ユニット４１およびセンターケース２３の開口部分から表示装置４２の表示部４２ａを前方へ臨ませ、複数の識別情報を変動表示させる飾り特図変動表示ゲーム（第１特図変動表示ゲームや第２特図変動表示ゲームに対応する演出表示）を表示部４２ａで表示可能としている。そして、制御ユニット４１の下部には入賞球流路４３を備え、該入賞球流路４３を一般入賞ユニット２６や始動入賞ユニット２５等の入賞装置の後部へ接続し、遊技領域５を流下して入賞装置に入賞した遊技球（入賞球）を入賞球流路４３へ回収可能としている。さらに、制御ユニット４１の裏側のうち表示装置４２の下方には、遊技を統括的に制御する遊技制御装置４５を装着し、表示装置４２の裏側には、遊技における演出動作を制御する演出制御装置４６を装着している。
【００１６】
なお、入賞装置に進入した遊技球は、当該入賞装置または入賞球流路４３に備えられた入賞球検出スイッチにより入賞球として検出される。具体的には、普図始動ゲート２４に進入した遊技球は、当該普図始動ゲート２４に備えられたゲートスイッチ４７により検出され（図４参照）、一般入賞ユニット２６の一般入賞口３４に進入した遊技球は、入賞球流路４３内に備えられた入賞口スイッチ４８により検出される（図３参照）。また、大入賞ユニット２７の大入賞口３６に進入した遊技球は、大入賞ユニット２７に備えられたカウントスイッチ（大入賞口スイッチ）４９により大入賞球として検出され、大入賞ユニット２７の一般入賞口３７に進入した遊技球は、大入賞ユニット２７に備えられた入賞口スイッチ５０により検出される（図１０参照）。さらに、第１始動入賞口３１に入賞した遊技球は、始動入賞ユニット２５内の第１始動口スイッチ５１（図２１参照）により検出され、第２始動入賞口３２に入賞した遊技球は、始動入賞ユニット２５内の第２始動口スイッチ５２（図２１参照）により検出される。そして、第１始動口スイッチ５１による遊技球の検出を始動条件として第１特図変動表示ゲームを実行可能とし、第２始動口スイッチ５２による遊技球の検出を始動条件として第２特図変動表示ゲームを実行可能としている。
【００１７】
次に、センターケース２３について説明する。
センターケース２３は、図５に示すように、当該センターケース２３の基部となる枠状のケースベース５５を備え、該ケースベース５５の中央部分には、表示装置４２を視認可能とするケース窓部５６を開設している。また、ケースベース５５の周縁部にはフランジ状の取付基板５７を設け、該取付基板５７を遊技ベースユニット２１の表面に止着して、当該センターケース２３を遊技盤６へ装着するように構成されている。そして、ケースベース５５の上辺部の前面には、センターケース２３の前方へ向けて突出した庇状の鎧部５８をセンターケース２３の左右両側へ向けて下り傾斜した円弧状態で配置して、この鎧部５８がセンターケース２３の上部に設けられた枠状の流入阻止壁となって、遊技球（詳しくは、遊技領域５内をセンターケース２３の上方に流下してくる遊技球）がセンターケース２３の内部へ流入することを規制するように構成されている。
【００１８】
また、ケースベース５５の下辺部には、遊技球が横方向（前後方向および左右方向）へ転動可能なステージ部６１を配置している。さらに、ステージ部６１の左右方向の中央部の後方には、遊技球をステージ部６１上からステージ部６１の後方および下方へ案内する案内流路６２を備え、該案内流路６２の出口６２ａを取付基板５７の下部のうち第１始動入賞口３１の直上に開設している（図２参照）。また、ステージ部６１の後方には、ステージ部６１上の遊技球が後方の表示装置４２側へ進入することを規制する進入規制壁６３を立設し、ステージ部６１の一側端（図５中、左側端）には、遊技球が流下可能な球導入路（ワープ流路）６４を設けている。そして、球導入路６４の入口６４ａをセンターケース２３の側方（図２中、左側方）へ開放した状態で開設し、球導入路６４の出口６４ｂをステージ部６１へ向けて開放し、遊技球が遊技領域５から球導入路６４を通ってステージ部６１上へ到達できるように構成されている。
【００１９】
さらに、ケースベース５５のうちステージ部６１を挟んで球導入路６４とは反対側（図５中、右側）には、ケースベース５５の前面側に位置するフロントパネル６６ａと、裏面側に位置するリアパネル６６ｂとを重合して構成されるパネル装飾ユニット６６を備え、フロントパネル６６ａとリアパネル６６ｂとの間にはケースベース５５の一部を挟持している。そして、パネル装飾ユニット６６に挟持されるケースベース５５の一部、およびフロントパネル６６ａを透光部材で構成し、フロントパネル６６ａには英文字列の装飾を施し、リアパネル６６ｂにはＬＥＤが実装された装飾基板６６ｃを装着して、ＬＥＤからの光がケースベース５５の一部、フロントパネル６６ａを透過することで発光装飾が行われるように構成されている。
【００２０】
また、センターケース２３は、２つの発光装飾ユニット（ケースベース５５の上辺部に設けられた上部発光装飾ユニット７１，および側辺部に設けられた側部発光装飾ユニット７２）を配設し、上部発光装飾ユニット７１では、２つの７セグメント表示により英数字を示す発光装飾を行い、側部発光装飾ユニット７２では、上下方向に並んだ複数の領域を点灯する発光装飾を行う。そして、遊技の進行に応じて、上部発光装飾ユニット７１で発光表示される英数字と側部発光装飾ユニット７２の点灯箇所数の設定とを関連付けたり、あるいは、遊技において当りが発生する期待度を上部発光装飾ユニット７１の英数字発光や側部発光装飾ユニット７２の点灯箇所数の増減により表現したりして、遊技盤６における装飾演出を実行するように構成されている。
【００２１】
上部発光装飾ユニット７１は、図５および図６に示すように、鎧部５８の下方に配設された横長なユニットであり、当該上部発光装飾ユニット７１の後側に位置する上部ユニットベース８０と、該上部ユニットベース８０のパネル装飾ユニット６６側（図６中、右側）の前面に配置された上部導光部材（導光部材）８１と、該上部導光部材８１を前方から覆うシート状の上部光拡散部材（光拡散部材）８２と、該上部光拡散部材８２を前方から覆う上部装飾レンズ（装飾レンズ）８３と、該上部装飾レンズ８３の前面に止着される円環状の上部前面装飾材８４とを備えて構成されている。
【００２２】
上部ユニットベース８０は、前側のフロントケース８０ａと後側のリアケース８０ｂとの間に上部発光基板８０ｃを収納して構成されており、上部発光基板８０ｃのうちフロントケース８０ａ側を向いた実装面（前面）には上部発光部材（発光部材）８０ｄを実装している。また、フロントケース８０ａの球導入路６４側（図６中、左側）には透光性を有する透光装飾部８０ｅを備え、後方の上部発光部材８０ｄから出射される光が透光装飾部８０ｅを透過可能とし、フロントケース８０ａのパネル装飾ユニット６６側（図６中、右側）にはベース開口８０ｆを開設し、該ベース開口８０ｆに臨ませた上部発光部材８０ｄから出射される光がベース開口８０ｆを通って上部導光部材８１へ到達するように構成されている。
【００２３】
上部導光部材８１は、２枚の半円板を離間状態で配設して円形状を呈する部材であり、７セグメント表示を模した７つの上部導光開口（導光開口）８１ａを半円材毎に１組ずつ開設し、後方の上部発光部材８０ｄから出射された光が上部導光開口８１ａを通過して前方の上部光拡散部材８２へ照射されるように構成されている。また、各上部導光開口８１ａの内面にメッキ処理を施したり、上部導光部材８１を非透光部材で形成したりする等して、上部導光開口８１ａ内の光が隣の上部導光開口８１ａ内に進入することを阻止している。
【００２４】
上部光拡散部材８２は、２枚の半円シートを離間状態で配設して円形状を呈する透光部材であり、上部導光部材８１側を向いた裏面（入光面）の全体に亘って微細な凹凸形状の拡散レンズ部８２ａ（図８参照）を形成し、上部導光開口８１ａを通過して上部光拡散部材８２に到達した光が拡散レンズ部８２ａを透過することにより拡散され、この拡散状態で前方の上部装飾レンズ８３へ照射されるように構成されている。
【００２５】
上部装飾レンズ８３は、透光性を有する円板状のレンズベース８３ａを基部とし、該レンズベース８３ａの外周部分からレンズ飾り部８３ｂを外方へ突出して構成されており、レンズベース８３ａの外周の前面に上部前面装飾材８４を止着している。また、レンズベース８３ａの前面には、各上部導光開口８１ａと前後に並んで位置する箇所をそれぞれ上部透光領域（透光領域）８３ｃとして前方へ突出し、隣り合う上部透光領域８３ｃの境界部分を上部透光領域８３ｃよりも後方へ凹ませている。言い換えると、上部発光部材８０ｄ毎に対応する複数の上部透光領域８３ｃを区画形成している。そして、上部透光領域８３ｃに上部発光部材８０ｄの光を後方から照射することにより、上部透光領域８３ｃを点灯状態にして７セグメント表示による英数字の発光演出を行うように構成されている。
【００２６】
側部発光装飾ユニット７２は、図５および図７に示すように、ケースベース５５のうちパネル装飾ユニット６６側の側辺部（図５中、右側辺部）に配設された縦長なユニットであり、当該側部発光装飾ユニット７２の後側に位置する側部ユニットベース９０と、該側部ユニットベース９０の前方に配置された側部導光部材（導光部材）９１と、該側部導光部材９１を前方から覆うシート状の側部光拡散部材（光拡散部材）９２と、該側部光拡散部材９２を前方から覆う側部装飾レンズ（装飾レンズ）９３と、該側部装飾レンズ９３の前面に装着される側部前面装飾材９４とを備えて構成されている。
【００２７】
側部ユニットベース９０は、図７に示すように、前側が開放した基板ケース９０ａ内に側部発光基板９０ｂを収納して構成されており、側部発光基板９０ｂのうち基板ケース９０ａから露出した実装面（前面）には側部発光部材（発光部材）９０ｄを実装している。側部導光部材９１は、側部発光基板９０ｂの全体を前方から被覆する縦長な部材であり、矩形状を呈する複数（本実施形態では９つ）の側部導光開口（導光開口）９１aを縦に並んだ状態で開設し、後方の側部発光部材９０ｃから出射された光が側部導光開口９１aを通過して前方の側部光拡散部材９２へ照射されるように構成されている。また、各側部導光開口９１aの内面にメッキ処理を施したり、側部導光部材９１を非透光部材で形成したりする等して、側部導光開口９１a内の光が隣の側部導光開口９１a内に進入することを阻止している。
【００２８】
側部光拡散部材９２は、縦長な短冊状を呈する透光部材であり、側部導光部材９１側を向いた裏面（入光面）の全体に亘って微細な凹凸形状の拡散レンズ部９２ａ（図８参照）を形成し、側部導光開口９１aを通過して側部光拡散部材９２に到達した光が拡散レンズ部９２ａを透過することにより拡散され、この拡散状態で前方の側部装飾レンズ９３へ照射されるように構成されている。
【００２９】
側部装飾レンズ９３は、当該側部装飾レンズ９３の前面のうち各側部導光開口９１aと前後に並んで位置する箇所をそれぞれ側部透光領域（透光領域）９３ａとして前方へ突出し、隣り合う側部透光領域９３ａの境界部分を側部透光領域９３ａよりも後方へ凹ませている。言い換えると、側部発光部材９０ｃ毎に対応する複数の側部透光領域９３ａを区画形成している。そして、側部透光領域９３ａに側部発光部材９０ｃの光を後方から照射することにより、側部透光領域９３ａを点灯状態にしてレベルメーターを模した発光演出を行うように構成されている。また、側部装飾レンズ９３に装着されて側部装飾レンズ９３の前面を被覆する側部前面装飾材９４には、各側部透光領域９３ａを露出する複数の透光露出開口９４ａを開設している。
【００３０】
さらに、上部発光装飾ユニット７１および側部発光装飾ユニット７２においては、図８に示すように、光拡散部材８２，９２のうち隣り合う透光領域８３ｃ，９３ａの境界部分と重なる箇所を開口している。具体的に説明すると、上部光拡散部材８２のうち隣り合う上部透光領域８３ｃの境界部分と重なる箇所にはスリット状の上部拡散抑制開口８２ｂを開設し、該上部拡散抑制開口８２ｂと、隣り合う上部導光開口８１ａを仕切る仕切り壁８１ｂと、隣り合う上部発光部材８０ｄの間の空間部と、隣り合う上部透光領域８３ｃの境界部分とが前後に並んで位置している（図６および図８参照）。また、側部光拡散部材９２のうち隣り合う側部透光領域９３ａの境界部分と重なる箇所にはスリット状の側部拡散抑制開口９２ｂを開設し、該側部拡散抑制開口９２ｂと、隣り合う側部導光開口９１aを仕切る仕切り壁９１ｂと、隣り合う側部発光部材９０ｃの間の空間部と、隣り合う側部透光領域９３ａの境界部分とが前後に並んで位置している（図７および図８参照）。
【００３１】
このような構成を備えた各発光装飾ユニット７１，７２において発光部材８０ｄ，９０ｃを発光すると、図８に示すように、発光部材８０ｄ，９０ｃから発生した光が導光開口８１ａ，９１ａ内を進行して光拡散部材８２，９２に到達し、該光拡散部材８２，９２内で拡散されてから透光領域８３ｃ，９３ａを通過して発光装飾ユニット７１，７２の前方へ出射されて、発光部材８０ｄ，９０ｃに対応する透光領域８３ｃ，９３ａが点灯状態となる。このとき、導光開口８１ａ，９１ａ内の光が隣の導光開口８１ａ，９１ａに進入することを阻止されること、さらには、光拡散部材８２，９２に拡散抑制開口８２ｂ，９２ｂを開設していることから、隣り合う透光領域８３ｃ，９３ａの境界部分に光拡散部材８２，９２からの拡散光を照射し難くすることができる。これにより、透光領域８３ｃ，９３ａの点灯の所謂クロストーク（発光部材８０ｄ，９０ｃの光が対応外の透光領域８３ｃ，９３ａをも透過してしまう不都合）を抑制することができ、発光による演出を鮮明に行うことができる。
【００３２】
なお、図８において、拡散抑制開口８２ｂ，９２ｂに進入する仕切り壁８１ｂ，９１ｂ（導光部材８１，９１のうち隣り合う導光開口８１ａ，９１ａを仕切る仕切り壁８１ｂ，９１ｂ）と、拡散抑制開口８２ｂ，９２ｂの端部（仕切り壁８１ｂ，９１ｂの上下方向端部に対向する部位）との間に隙間を設けている（言い換えると、導光部材８１，９１の仕切り壁８１ｂ，９１ｂの前縁部を拡散抑制開口８２ｂ，９２ｂへ遊嵌している）が、本発明はこれに限定されない。例えば、拡散抑制開口８２ｂ，９２ｂの開口寸法や仕切り壁８１ｂ，９１ｂの厚さ寸法を調整して、仕切り壁８１ｂ，９１ｂを拡散抑制開口８２ｂ，９２ｂへ隙間が形成されない状態で嵌合してもよい。このように構成すれば、導光部材８１，９１の仕切り壁８１ｂ，９１ｂによって、隣り合う透光領域８３ｃ，９３ａの境界部分に光拡散部材８２，９２からの拡散光を照射し難くすることができ、さらには、光拡散部材８２，９２を導光部材８１，９１へ取り付ける際の位置決め及びずれ防止を行うことができる。
【００３３】
次に、大入賞ユニット２７について説明する。
大入賞ユニット２７は、大入賞口（開状態と閉状態とに変換可能な入賞口）３６と、該大入賞口３６とは異なる一般入賞口３７とを備えた入賞ユニットであり、図９および図１０に示すように、遊技盤６の表面側（当該大入賞ユニット２７のうち遊技者側に臨む前面）に位置する前面構成部１０１と、該前面構成部１０１の裏面側に位置するユニット本体部１０２とを備えて構成されている。そして、図４に示すように、遊技ベースユニット２１に開設されたユニット収納空間部１００内にユニット本体部１０２を収納し、ユニット収納空間部１００の前側開口縁に前面構成部１０１を止着している。
【００３４】
前面構成部１０１は、図９および図１０に示すように、遊技盤６（遊技ベースユニット２１）の表面に止着される前面装飾パネル１０４を備え、前面装飾パネル１０４の前面の下部には複数の星形模様の装飾Ｄを施している。また、前面装飾パネル１０４の上部には横長矩形状の大入賞露出開口１０５を開設し、該大入賞露出開口１０５の側方（図９中、右側方）には、遊技球を上方から受け入れて後方のユニット本体部１０２側へ誘導可能な一般入賞受部１０６を備えている。
【００３５】
ユニット本体部１０２は、図１０に示すように、当該ユニット本体部１０２の基部となるユニットベース１０８を備え、該ユニットベース１０８のうち大入賞露出開口１０５の後方に位置する箇所には、複数の遊技球が同時に流入可能となる横長矩形状の大入賞口３６を前後方向に貫通する状態で開設して大入賞露出開口１０５へ連通可能としている。また、ユニットベース１０８のうち一般入賞受部１０６の後方に位置する箇所には、遊技球が１個ずつ通過可能な一般入賞口３７を前後方向に貫通する状態で開設して一般入賞受部１０６の内部に連通するように構成されている。そして、ユニットベース１０８のうち大入賞口３６および一般入賞口３７の下部には、大入賞口３６または一般入賞口３７を通過して大入賞ユニット２７に入賞した遊技球が流下可能な入賞球流路１０９を一般入賞口３７側から大入賞口３６側（図１０中、右側から左側）へ下り傾斜した姿勢で備え、該入賞球流路１０９の前面を流路カバーパネル１１０により閉成している。さらに、入賞球流路１０９の下端出口１０９ａを遊技ベースユニット２１（遊技盤６）の裏面側へ開放し、入賞球流路１０９を流下した遊技球が遊技ベースユニット２１の後方へ排出されるように構成されている。
【００３６】
また、ユニットベース１０８の裏側には誘導路形成部材１１１を止着し、該誘導路形成部材１１１のうち大入賞口３６の後方には、大入賞口３６の後端部と入賞球流路１０９の上部とを連通する大入賞球誘導路１１２を形成し、一般入賞口３７の後方には、一般入賞口３７と入賞球流路１０９の傾斜上端部とを連通する一般入賞球誘導路１１３を形成している。さらに、ユニットベース１０８には２つのカウントスイッチ４９と１つの入賞口スイッチ５０とを備え、一般入賞口３７を通過した遊技球を入賞球（一般入賞球）として入賞口スイッチ５０により検出可能とし、大入賞口３６を通過した遊技球を入賞球（大入賞球）としてカウントスイッチ４９により検出可能としている。
【００３７】
そして、ユニット本体部１０２の流路カバーパネル１１０の上縁部には、大入賞口３６を開閉する入賞開閉部材（開閉部材）１１５を軸支して大入賞露出開口１０５に臨ませている。また、該入賞開閉部材１１５を大入賞口ソレノイド１１６および開閉アーム１１７により駆動することにより、大入賞口３６を閉成して遊技球が入賞不能な閉状態と、大入賞口３６を開放して遊技球が入賞可能な開状態とに変換できるように構成されている。なお、ユニット本体部１０２のうち大入賞口ソレノイド１１６のプランジャ１１６ａの後方には駆動ガイド部材１１８を備え、大入賞口ソレノイド１１６のプランジャ１１６ａと開閉アーム１１７とを連結するリンク部材１１９の移動を駆動ガイド部材１１８により案内するように構成されている。
【００３８】
さらに、大入賞ユニット２７は、前面構成部１０１のうち大入賞露出開口１０５（大入賞口３６）の下方に、遊技球が上面を転動可能な球誘導部１２１を遊技者側へ突出した状態で止着している。球誘導部１２１は、前面構成部１０１に重なって止着される横長短冊状の誘導基部１２１ａと、該誘導基部１２１ａの上縁部から前方の遊技者側へ突出した球転動棚部１２１ｂとを備えて構成されている。そして、当該球誘導部１２１の上面となる球転動棚部１２１ｂの上面を、大入賞露出開口１０５を挟んで一般入賞受部１０６とは反対側（図９中、左側）へ向けて下り傾斜させて、球転動棚部１２１ｂの上を転動する遊技球を第２始動入賞口３２（図２参照）の上方へ誘導可能としている。また、球転動棚部１２１ｂの前縁部（遊技者側の縁部）には、遊技球の球転動棚部１２１ｂからの落下を阻止する球落下阻止突起１２１ｃを遊技球の半径以上の高さで立設している。さらに、誘導基部１２１ａを含む球誘導部１２１の全体を透光部材（透明または半透明な部材）で形成して、前面構成部１０１の装飾Ｄが球誘導部１２１を通して遊技者側から視認できるように構成されている。言い換えると、透光性を有する球誘導部１２１が、前面構成部１０１の装飾Ｄを遊技者側から視認可能とする装飾視認部として機能している。したがって、球誘導部１２１を前面構成部１０１の装飾Ｄに重なる状態で備えたとしても、前面構成部１０１の装飾Ｄが遊技者から見えなくなってしまうことがない。これにより、大入賞ユニット２７のデザイン性が優れた遊技機を実現し易い。
【００３９】
また、球落下阻止突起１２１ｃを遊技球の半径以上の高さで立設したので、遊技球が球転動棚部１２１ｂ（球誘導部１２１の上面）から前方へ外れずに転動することができ、遊技球をスムーズに誘導することができる。また、誘導中の遊技球が前方の透明部材９に衝突する不都合、ひいては透明部材９が不用意に汚れたり損傷したりする不都合を避けることができる。
【００４０】
さらに、前面構成部１０１とユニット本体部１０２とで大入賞ユニット２７を構成し、ユニット本体部１０２に入賞開閉部材１１５を備えたので、パチンコ遊技機１の機種毎に対応する大入賞ユニット２７を製造する場合には、前面構成部１０１のみを機種のテーマに合わせたデザインで設計し、ユニット本体部１０２においては機種に拘らず共通に使用することができる。したがって、新たな機種を開発する度に大入賞ユニット２７の全体を改めて設計する必要がなくなり、パチンコ遊技機１（遊技盤６）の開発コストの低減を図ることができる。
【００４１】
次に、制御ユニット４１について説明する。
制御ユニット４１は、図１１に示すように、遊技ベースユニット２１の裏面に止着されるユニットケース１２５を前側が開放した状態で備え、該ユニットケース１２５の後部には矩形状の表示開口窓１２５ａを前後方向へ貫通して開設し、ユニットケース１２５の後方に装着された表示装置４２の表示部４２ａを表示開口窓１２５ａに臨ませている（図３参照）。さらに、ユニットケース１２５のうち表示開口窓１２５ａの縁部には、額縁状のフレームユニット１２６を備え、該フレームユニット１２６の上辺部の前方には上側役物ユニット１２７を備え、下辺部の前方には下側役物ユニット１２８を備えている。なお、下側役物ユニット１２８の下部の前方には、ユニットカバー１２９、基板ボックス１３０、入賞球流路４３を備えている。
【００４２】
フレームユニット１２６は、図１２に示すように、表示開口窓１２５ａと連通するフレーム開口窓１３３ａが開設された矩形枠状のフレーム基部１３３を備え、該フレーム基部１３３の左右両側辺部の前側には装飾パネル（左側装飾パネル１３５，右側装飾パネル１３６）をそれぞれ止着している。また、図１３から図１６に示すように、当該フレームユニット１２６の左右両側には可動演出ユニット（図１３中、左側に位置する左側可動演出ユニット１３７と、右側に位置する右側可動演出ユニット１３８）をそれぞれ配設している。
【００４３】
左側可動演出ユニット１３７は、左右方向にスライド可能な縦向き短冊状の左側スライドベース１４１と、該左側スライドベース１４１をスライド駆動する左側駆動ユニット１４２と、左側スライドベース１４１に回転可能な状態で軸着された縦向き短冊状の左側回転部材（回転部材）１４３と、該左側回転部材１４３の回転を規制する左側規制部材（規制部材）１４４とを備えて構成されている。具体的に説明すると、図１２に示すように、フレーム基部１３３の上辺部に備えられた左側スライドガイド１３３ｂに左側スライドベース１４１の上端部を左右方向へスライド可能な状態で係合し、左側スライドベース１４１の下端部を左側駆動ユニット１４２に接続している。また、左側駆動ユニット１４２を、複数のギアを左右方向に並べて噛合する左側駆動ギア列１４２ａと、該左側駆動ギア列１４２ａの一端（図１２中、左端のギア）に接続された左側駆動モータ１４２ｂと、左側駆動ギア列１４２ａの他端（図１２中、右端のギア）に噛合した状態で左右方向にスライド可能な左側駆動ラック１４２ｃとを連結して構成するとともに、フレーム基部１３３の下辺部の左側へ装着し、左側駆動ラック１４２ｃの前側に左側スライドベース１４１の下端部を接続している。そして、左側駆動モータ１４２ｂを駆動すると、駆動力が左側駆動ギア列１４２ａを介して左側駆動ラック１４２ｃに伝達されて、左側スライドベース１４１が左側駆動ラック１４２ｃとともに左右方向へスライドするように構成されている。
【００４４】
さらに、左側スライドベース１４１の上下両端部の前側には、ヒンジユニット（左側アッパーヒンジユニット１４６，左側ロワーヒンジユニット１４７）を各回転軸が縦向きで揃う姿勢にしてそれぞれ装着している。また、左側アッパーヒンジユニット１４６の回転プレート１４６ａには、表裏両面に装飾が施された縦向き平板状の左側回転本体１４８の上端部を止着する一方、左側ロワーヒンジユニット１４７の回転プレート１４７ａには左側回転本体１４８の下端部を止着して、左側回転本体１４８と上下の回転プレート１４６ａ，１４７ａとにより左側回転部材１４３を構成している。そして、図１３から図１６に示すように、左側回転部材１４３（各回転プレート１４６ａ，１４７ａと左側回転本体１４８との結合体）を当該左側回転部材１４３の一側寄りの部分が中心となって回転可能とし、左側回転部材１４３の自由端側が回転中心よりも前方であり且つ左側方に位置する通常回転姿勢（図１３参照）、左側回転部材１４３の自由端側が回転中心よりも前方であり且つ右側方に位置する第１回転姿勢（図１５参照）、左側回転部材１４３の自由端側が回転中心の右側方に位置して左側回転本体１４８が表示装置４２の表示部４２ａに対して略平行となる第２回転姿勢（図１６参照）の順に正回転（上方から見て反時計方向へ回転）し、また、第２回転姿勢、第１回転姿勢、通常回転姿勢の順に戻って逆回転（上方から見て時計方向へ回転）するように構成されている。なお、左側ロワーヒンジユニット１４７には、回転プレート１４７ａを左側回転部材１４３の正回転方向（上方から見て反時計方向）に付勢するコイルばね等の左側付勢部材（図示せず）を備えている。
【００４５】
そして、左側回転部材１４３の回転軸部（詳しくは、左側ロワーヒンジユニット１４７の回転プレート１４７ａの回転軸部１４７ｂ）には、当該左側回転部材１４３と共回りする第１左側係合部（第１係合部）１５１および第２左側係合部（第２係合部）１５２を外方へそれぞれ延出するとともに、回転軸部１４７ｂの周りに位相がずれた状態で配置している。具体的には、図１３（ｂ）に示すように、回転プレート１４７ａの回転軸部１４７ｂのうち回転中心を挟んで左側回転本体１４８とは反対側（図１３（ｂ）中、回転軸部１４７ｂの右側）から第１左側係合部１５１および第２左側係合部１５２を上下にずれた状態（図１３（ａ）参照）で延出し、上側の第１左側係合部１５１を下側の第２左側係合部１５２よりも上方から見て反時計方向に位相がずれた状態に設定している。また、第１左側係合部１５１の延出長さを第２左側係合部１５２の延出長さよりも短く設定している。
【００４６】
さらに、左側装飾パネル１３５の前面に左側規制部材１４４を止着し、該左側規制部材１４４のうち第１左側係合部１５１と前後に並び得る箇所には、第１左側係合部１５１と係合可能な横長丸棒状の第１左側係合規制部１４４ａを備え、第２左側係合部１５２と前後に並び得る箇所には、第２左側係合部１５２と係合可能な横長丸棒状の第２左側係合規制部１４４ｂを備えている。そして、第１左側係合規制部１４４ａおよび第２左側係合規制部１４４ｂをそれぞれ左側装飾パネル１３５側から左側スライドベース１４１のスライド方向（言い換えると、左側回転部材１４３と左側規制部材１４４とが離れる方向）に沿って延出させ、第１左側係合規制部１４４ａを第２左側係合規制部１４４ｂよりも短く設定して、第１左側係合規制部１４４ａの延出端を第２左側係合規制部１４４ｂよりも左側装飾パネル１３５側に位置させている。
【００４７】
右側可動演出ユニット１３８は、左右方向にスライド可能な縦向き短冊状の右側スライドベース１６１と、該右側スライドベース１６１をスライド駆動する右側駆動ユニット１６２と、右側スライドベース１６１に回転可能な状態で軸着された縦向き短冊状の右側回転部材（回転部材）１６３と、該右側回転部材１６３の回転を規制する右側規制部材（規制部材）１６４とを備えて構成されている。具体的に説明すると、図１２に示すように、フレーム基部１３３の下辺部に備えられた右側スライドガイド１５９に右側スライドベース１６１の下端部を左右方向へスライド可能な状態で係合し、右側スライドベース１６１の上端部を右側駆動ユニット１６２に接続している。また、右側駆動ユニット１６２を、複数のギアを左右方向に並べて噛合する右側駆動ギア列１６２ａと、該右側駆動ギア列１６２ａの一端（図１２中、右端のギア）に接続された右側駆動モータ１６２ｂと、右側駆動ギア列１６２ａの他端（図１２中、左端のギア）に噛合した状態で左右方向にスライド可能な右側駆動ラック１６２ｃとを連結して構成するとともに、フレーム基部１３３の上辺部の右側へ装着し、右側駆動ラック１６２ｃの前側に止着される右側ラックカバー１６５に右側スライドベース１６１の上端部を接続している。そして、右側駆動モータ１６２ｂを駆動すると、駆動力が右側駆動ギア列１６２ａを介して右側駆動ラック１６２ｃに伝達されて、右側スライドベース１６１が右側駆動ラック１６２ｃとともに左右方向へスライドするように構成されている。
【００４８】
さらに、右側スライドベース１６１の上下両端部の前側には、ヒンジユニット（右側アッパーヒンジユニット１６６，右側ロワーヒンジユニット１６７）を各回転軸が縦向きで揃う姿勢にしてそれぞれ装着している。また、右側アッパーヒンジユニット１６６の回転プレート１６６ａには、表裏両面に装飾が施された縦向き平板状の右側回転本体１６８の上端部を止着する一方、右側ロワーヒンジユニット１６７の回転プレート１６７ａには右側回転本体１６８の下端部を止着して、右側回転本体１６８と上下の回転プレート１６６ａ，１６７ａとにより右側回転部材１６３を構成している。そして、図１３から図１６に示すように、該右側回転部材１６３（各回転プレート１６６ａ，１６７ａと右側回転本体１６８との結合体）を当該右側回転部材１６３の一側寄りの部分が中心となって回転可能とし、右側回転部材１６３の自由端側が回転中心よりも前方であり且つ右側方に位置する通常回転姿勢（図１３（ａ）参照）、右側回転部材１６３の自由端側が回転中心よりも前方であり且つ左側方に位置する第１回転姿勢（図１５（ａ）参照）、右側回転部材１６３の自由端側が回転中心の左側方に位置して右側回転本体１６８が表示装置４２の表示部４２ａに対して略平行となる第２回転姿勢（図１６（ａ）参照）の順に正回転（上方から見て時計方向へ回転）し、また、第２回転姿勢、第１回転姿勢、通常回転姿勢の順に戻って逆回転（上方から見て反時計方向へ回転）するように構成されている。なお、右側アッパーヒンジユニット１６６には、回転プレート１６６ａを右側回転部材１６３の正回転方向（上方から見て時計方向）に付勢するコイルばね等の右側付勢部材（図示せず）を備えている。
【００４９】
そして、図１３（ａ）および図１６（ａ）に示すように、右側回転部材１６３の回転軸部（詳しくは、右側アッパーヒンジユニット１６６の回転プレート１６６ａの回転軸部１６６ｂ）には、当該右側回転部材１６３と共回りする第１右側係合部（第１係合部）１７１および第２右側係合部（第２係合部）１７２を外方へそれぞれ延出するとともに、回転軸部１６６ｂの周りに位相がずれた状態で配置している。具体的には、回転プレート１６６ａの回転軸部１６６ｂのうち回転中心を挟んで右側回転本体１６８とは反対側（図１３（ａ）中、回転軸部１６６ｂの左側）から第１右側係合部１７１および第２右側係合部１７２を上下にずれた状態で延出し、下側の第１右側係合部１７１を上側の第２右側係合部１７２よりも上方から見て時計方向に位相がずれた状態に設定している。また、第１右側係合部１７１の延出長さを第２右側係合部１７２の延出長さよりも短く設定している。
【００５０】
さらに、右側装飾パネル１３６の前面に右側規制部材１６４を止着し、該右側規制部材１６４のうち第１右側係合部１７１と前後に並び得る箇所には、第１右側係合部１７１と係合可能な横長丸棒状の第１右側係合規制部１６４ａを備え、第２右側係合部１７２と前後に並び得る箇所には、第２右側係合部１７２と係合可能な横長丸棒状の第２右側係合規制部１６４ｂを備えている。そして、第１右側係合規制部１６４ａおよび第２右側係合規制部１６４ｂをそれぞれ右側装飾パネル１３６側から右側スライドベース１６１のスライド方向（言い換えると、右側回転部材１６３と右側規制部材１６４とが離れる方向）に沿って延出させ、第１右側係合規制部１６４ａを第２右側係合規制部１６４ｂよりも短く設定して、第１右側係合規制部１６４ａの延出端を第２右側係合規制部１６４ｂよりも右側装飾パネル１３６側に位置させている。
【００５１】
このような構成を備えたフレームユニット１２６においては、各可動演出ユニット１３７，１３８が演出非実行状態（図１３参照）、第１演出実行状態（図１５参照）、第２演出実行状態（図１６参照）に変換する。具体的に説明すると、左側可動演出ユニット１３７は、左側スライドベース１４１を左側装飾パネル１３５と前後に並ぶ状態に設定して左側回転部材１４３と左側規制部材１４４とを最も近づけると、演出非実行状態に設定され、左側スライドベース１４１および左側回転部材１４３を表示装置４２の表示部４２ａの前から側方（図１３（ａ）中、左側方）にずらして配置し、センターケース２３の左側辺部の後方に隠す（図２参照）。さらに、図１３（ｂ）に示すように、第２左側係合部１５２と第２左側係合規制部１４４ｂとを離間する一方、第１左側係合部１５１を第２左側係合部１５２よりも後方（言い換えると、左側規制部材１４４側）に配置して第１左側係合規制部１４４ａの前面へ係合し、この係合により左側回転部材１４３の正回転（上方から見て反時計方向への回転）を左側付勢部材の付勢力に抗して規制（阻止）して、左側回転部材１４３を通常回転姿勢に設定する。
【００５２】
また、右側可動演出ユニット１３８は、右側スライドベース１６１を右側装飾パネル１３６と前後に並ぶ状態に設定して右側回転部材１６３と右側規制部材１６４とを最も近づけると、演出非実行状態に設定され、右側スライドベース１６１および右側回転部材１６３を表示装置４２の表示部４２ａの前から側方（図１３（ａ）中、右側方）にずらして配置し、センターケース２３の右側辺部の後方に隠す（図２参照）。さらに、第２右側係合部１７２と第２右側係合規制部１６４ｂとを離間する一方、第１右側係合部１７１を第２右側係合部１７２よりも後方（言い換えると、右側規制部材１６４側）に配置して第１右側係合規制部１６４ａの前面へ係合し、この係合により右側回転部材１６３の正回転（上方から見て時計方向への回転）を右側付勢部材の付勢力に抗して規制（阻止）して、右側回転部材１６３を通常回転姿勢に設定する。
【００５３】
そして、演出非実行状態から各駆動モータ１４２ｂ，１６２ｂを正転駆動すると、左側スライドベース１４１および左側回転部材１４３が移動して表示部４２ａの左側縁部の前方に近づき、右側スライドベース１６１および右側回転部材１６３が移動して表示部４２ａの右側縁部の前方に近づく。このとき、左側可動演出ユニット１３７においては、第１左側係合部１５１が第１左側係合規制部１４４ａの前面上を摺動し、第１左側係合部１５１と第１左側係合規制部１４４ａとの係合状態が維持される。これにより、左側回転部材１４３の回転が第１左側係合規制部１４４ａによって引き続き規制されて、左側回転部材１４３の通常回転姿勢が維持される。したがって、左側回転部材１４３は、通常回転姿勢のまま左側スライドベース１４１とともに移動する。また、右側可動演出ユニット１３８においては、第１右側係合部１７１が第１右側係合規制部１６４ａの前面上を摺動し、第１右側係合部１７１と第１右側係合規制部１６４ａとの係合状態が維持される。これにより、右側回転部材１６３の回転が第１右側係合規制部１６４ａによって引き続き規制されて、右側回転部材１６３の通常回転姿勢が維持される。したがって、右側回転部材１６３は、通常回転姿勢のまま右側スライドベース１６１とともに移動する。
【００５４】
さらに各駆動モータ１４２ｂ，１６２ｂを正転駆動し続けて、図１４（ａ）に示すように、左側スライドベース１４１が表示部４２ａの左側縁部の前方まで移動するとともに、右側スライドベース１６１が表示部４２ａの右側縁部の前方まで移動すると、左側回転部材１４３および右側回転部材１６３が通常回転姿勢から第１回転姿勢へそれぞれ回転し始める。具体的に説明すると、左側可動演出ユニット１３７においては、第１左側係合部１５１が第１左側係合規制部１４４ａの延出端に到達して後方への回転を許容され、このため、左側付勢部材の付勢力により左側回転部材１４３が正回転し始める（図１４（ｂ）参照）。そして、第２左側係合部１５２が左側回転部材１４３と共回りして第２左側係合規制部１４４ｂの延出端へ係合する。また、右側可動演出ユニット１３８においては、第１右側係合部１７１が第１右側係合規制部１６４ａの延出端に到達して後方への回転を許容され、このため、右側付勢部材の付勢力により右側回転部材１６３が正回転し始める。そして、第２右側係合部１７２が右側回転部材１６３と共回りして第２右側係合規制部１６４ｂの延出端へ係合する。
【００５５】
引き続き各駆動モータ１４２ｂ，１６２ｂを正転駆動することにより左側スライドベース１４１および右側スライドベース１６１を移動し続けて、各可動演出ユニット１３７，１３８が回転部材１４３，１６３と規制部材１４４，１６４とを演出非実行状態よりも離して第１演出実行状態にそれぞれ変換すると、左側回転部材１４３が左側付勢部材の付勢力により正回転し続けて第１回転姿勢へ変換し、右側回転部材１６３が右側付勢部材の付勢力により正回転し続けて第１回転姿勢へ変換する（図１５（ａ）参照）。このとき、左側可動演出ユニット１３７においては、図１５（ｂ）に示すように、左側回転部材１４３が第２左側係合部１５２を第２左側係合規制部１４４ｂの延出端へ係合しながら正回転し続け、該左側回転部材１４３と共回りする第１左側係合部１５１が第１左側係合規制部１４４ａの延出端から離間して、第１左側係合部１５１と第１左側係合規制部１４４ａとの係合が解除される。したがって、左側可動演出ユニット１３７が左側回転部材１４３と左側規制部材１４４とを演出非実行状態よりも離して第１演出実行状態に変換すると、第１左側係合部１５１と第１左側係合規制部１４４ａとの係合を解除するとともに第２左側係合部１５２と第２左側係合規制部１４４ｂとを係合して、左側回転部材１４３を第１回転姿勢へ変換する。
【００５６】
また、右側可動演出ユニット１３８においては、右側回転部材１６３が第２右側係合部１７２を第２右側係合規制部１６４ｂの延出端へ係合しながら正回転し続け、該右側回転部材１６３と共回りする第１右側係合部１７１が第１右側係合規制部１６４ａの延出端から離間して、第１右側係合部１７１と第１右側係合規制部１６４ａとの係合が解除される。したがって、右側可動演出ユニット１３８が右側回転部材１６３と右側規制部材１６４とを演出非実行状態よりも離して第１演出実行状態に変換すると、第１右側係合部１７１と第１右側係合規制部１６４ａとの係合を解除するとともに第２右側係合部１７２と第２右側係合規制部１６４ｂとを係合して、右側回転部材１６３を第１回転姿勢へ変換する。
【００５７】
さらに各駆動モータ１４２ｂ，１６２ｂを正転駆動することにより左側スライドベース１４１および右側スライドベース１６１を移動し続けて、各可動演出ユニット１３７，１３８が回転部材１４３，１６３と規制部材１４４，１６４とを第１演出実行状態よりも離して第２演出実行状態にそれぞれ変換すると、図１６（ａ）および（ｂ）に示すように、左側可動演出ユニット１３７においては、第２左側係合部１５２と第２左側係合規制部１４４ｂとが離間する（言い換えると、第２左側係合部１５２と第２左側係合規制部１４４ｂとの係合状態が解除される）ことにより左側回転部材１４３の正回転が許容され、左側回転部材１４３が左側付勢部材の付勢力により正回転して第２回転姿勢に変換する。なお、第２回転姿勢の左側回転部材１４３は、左側ロワーヒンジユニット１４７内に設けられたストッパー（図示せず）により正回転を阻止されており、第１左側係合部１５１および第２左側係合部１５２を左側規制部材１４４側へ向けて延出させ、第２左側係合部１５２を第１左側係合部１５１よりも後方に配置している（図１６（ｂ）参照）。
【００５８】
また、右側可動演出ユニット１３８においては、第２右側係合部１７２と第２右側係合規制部１６４ｂとが離間する（言い換えると、第２右側係合部１７２と第２右側係合規制部１６４ｂとの係合状態が解除される）ことにより右側回転部材１６３の正回転が許容され、右側回転部材１６３が右側付勢部材の付勢力により正回転して第２回転姿勢に変換する。なお、第２回転姿勢の右側回転部材１６３は、右側アッパーヒンジユニット１６６内に設けられたストッパー（図示せず）により正回転を阻止されており、第１右側係合部１７１および第２右側係合部１７２を右側規制部材１６４側へ向けて延出させ、第２右側係合部１７２を第１右側係合部１７１よりも後方に配置している。
【００５９】
このようにして第２演出実行状態となった左側可動演出ユニット１３７および右側可動演出ユニット１３８は、図１６（ａ）に示すように、第２回転姿勢の左側回転部材１４３と右側回転部材１６３とを側縁部同士で互いに当接して１枚の矩形板を構成し、表示装置４２の表示部４２ａの中央部分を前方から被覆する。
【００６０】
そして、第２演出実行状態の左側可動演出ユニット１３７および右側可動演出ユニット１３８を第１演出実行状態に戻すには、各駆動モータ１４２ｂ，１６２ｂを逆転駆動して、左側スライドベース１４１および右側スライドベース１６１を表示部４２ａの側方へ向けて移動する。すると、第２左側係合部１５２が第２左側係合規制部１４４ｂの延出端に係合して押圧されることにより、左側回転部材１４３が左側付勢部材の付勢力に抗して逆回転して第１回転姿勢に変換する（図１５（ｂ）参照）。また、第２右側係合部１７２が第２右側係合規制部１６４ｂの延出端に係合して押圧されることにより、右側回転部材１６３が右側付勢部材の付勢力に抗して逆回転して第１回転姿勢に変換する。この結果、左側可動演出ユニット１３７および右側可動演出ユニット１３８が第１演出実行状態に戻る（図１５（ａ）参照）。
【００６１】
さらに、第１演出実行状態の左側可動演出ユニット１３７および右側可動演出ユニット１３８を演出非実行状態に戻すには、各駆動モータ１４２ｂ，１６２ｂを引き続き逆転駆動して、左側スライドベース１４１および右側スライドベース１６１を表示部４２ａの側方へ向けて移動し続ける。すると、第２左側係合部１５２と第２左側係合規制部１４４ｂの延出端との係合状態が維持されたままで、第１左側係合部１５１が第１左側係合規制部１４４ａの延出端に係合して押圧され、これにより、左側回転部材１４３が左側付勢部材の付勢力に抗してさらに逆回転する（図１４（ｂ）参照）。また、第２右側係合部１７２と第２右側係合規制部１６４ｂの延出端との係合状態が維持されたままで、第１右側係合部１７１が第１右側係合規制部１６４ａの延出端に係合して押圧され、これにより、右側回転部材１６３が右側付勢部材の付勢力に抗してさらに逆回転する。
【００６２】
そして、左側スライドベース１４１を左側装飾パネル１３５の前方まで移動するとともに、右側スライドベース１６１を左側装飾パネル１３５の前方まで移動すると、第１左側係合部１５１が第１左側係合規制部１４４ａの延出端から前面へ摺動しながら押圧され、これにより、左側回転部材１４３が左側付勢部材の付勢力に抗してさらに逆回転して通常回転姿勢に変換する。そして、この逆回転により、第２左側係合部１５２と第１左側係合規制部１４４ａの延出端との係合が解除される（図１３（ｂ）参照）。また、右側スライドベース１６１を右側装飾パネル１３６の前方まで移動するとともに、右側スライドベース１６１を右側装飾パネル１３６の前方まで移動すると、第１右側係合部１７１が第１右側係合規制部１６４ａの延出端から前面へ摺動しながら押圧され、これにより、右側回転部材１６３が右側付勢部材の付勢力に抗してさらに逆回転して通常回転姿勢に変換する。そして、この逆回転により、第２右側係合部１７２と第１右側係合規制部１６４ａの延出端との係合が解除される。この結果、左側可動演出ユニット１３７および右側可動演出ユニット１３８が演出非実行状態に戻る（図１３（ａ）参照）。
【００６３】
このようにして、フレームユニット１２６は、２つの平板状の回転部材１４３，１６３を表示部４２ａの前方で左右方向に遠ざけたり近づけたりさせながら観音開きの態様で回転させる動作を、係合部と係合規制部との係合により行う。したがって、回転部材１４３，１６３の回転制御を簡単な構成で行うことができる。これにより、複雑な制御を必要とせず、可動演出ユニット１３７，１３８のコストダウンを図ることができる。また、各可動演出ユニット１３７，１３８に設けられる係合部と係合規制部との組み合わせを２組にすることにより、回転部材１４３，１６３に掛かる負荷を分散させることができ、可動演出ユニット１３７，１３８の長寿命化を図ることができる。なお、可動演出ユニット１３７，１３８の演出動作は、表示装置４２において実行される演出に関連させて、どのように設定してもよい。例えば、演出非実行状態から第１演出実行状態に変換した後、第２演出実行状態へ変換せずに演出非実行状態へ戻してもよいし、あるいは、第1演出実行状態を初期状態として第２演出実行状態へ変換し、再び第1演出実行状態へ変換してもよい。このようにして、２つの状態に変換する演出を、３つの状態に変換する演出とは別個に設定すれば、可動演出ユニット１３７，１３８の動作にバリエーションを持たせることができ、遊技の興趣を高めることができる。
【００６４】
次に、フレームユニット１２６の上辺部の前方に配置される上側役物ユニット１２７について説明する。
上側役物ユニット１２７は、図１７から図１９に示すように、横長な役物ベース１８１の左右方向の中央部分にスライドプレート１８２を上下動可能な状態で備え、役物ベース１８１の左右両側部には、長尺な可動アーム（左側可動アーム１８３，右側可動アーム１８４）の一端を回転可能な状態でそれぞれ軸着し、各可動アーム１８３，１８４の下側となる他端部（自由端部）をスライドプレート１８２の前方で交差させている。また、左側可動アーム１８３の他端部のうち右側可動アーム１８４と前後に常時重なる箇所からアーム連結ピン１８３ａを突設し、該アーム連結ピン１８３ａを右側可動アーム１８４のうち左側可動アーム１８３と重なり得る箇所に開設された円弧状のアーム連結溝１８４ａへ係合している。さらに、左側可動アーム１８３の長手方向の中間部分に開設された長穴状の左側アームガイド溝１８３ｂには、スライドプレート１８２の左側部に備えられた左側係合ピン１８２ａを係合し、右側可動アーム１８４の長手方向の中間部分に開設された長穴状の右側アームガイド溝１８４ｂには、スライドプレート１８２の右側部に備えられた右側係合ピン１８２ｂを係合して、左側可動アーム１８３、右側可動アーム１８４、スライドプレート１８２が連動するように構成されている。
【００６５】
そして、各可動アーム１８３，１８４の軸着部にはコイルばねなどのアーム付勢部材（左側アーム付勢部材１８７，右側アーム付勢部材１８８）をそれぞれ備え、該アーム付勢部材１８７，１８８により各可動アーム１８３，１８４を上方へ付勢している。また、役物ベース１８１のうち左側可動アーム１８３の軸着箇所の下方には、上側役物駆動機構１９０と、該上側役物駆動機構１９０を前方から被覆する駆動機構カバー１９１（図１７参照）とを備え、上側役物駆動機構１９０においては、上側駆動モータ１９０ａの駆動力を上側伝達ギア１９０ｂにより上側駆動アーム１９０ｃへ伝達して上側駆動アーム１９０ｃの先端部を上下方向へ回転可能としている。さらに、該上側駆動アーム１９０ｃの先端部には駆動係合ピン１９０ｄを突設し、左側可動アーム１８３のうち左側アームガイド溝１８３ｂよりも当該左側可動アーム１８３の軸着部側（図１８（ａ）中、左側アームガイド溝１８３ｂよりも左側）には長穴状の駆動ガイド溝１８３ｃを開設し、該駆動ガイド溝１８３ｃに駆動係合ピン１９０ｄを係合している。
【００６６】
また、上側役物ユニット１２７の前側には、短冊状を呈する一対の役物本体（左側役物本体１９３，右側役物本体１９４）を左右に並べた状態で備え、該各役物本体１９３，１９４の端部同士を両可動アーム１８３，１８４の交差箇所の前方に配置して役物ギアユニット１９５で連結し、該役物ギアユニット１９５を中心して各役物本体１９３，１９４が互いに左右対称となる傾斜姿勢で上下方向に回転するように構成されている（図１８参照）。さらに、左側役物本体１９３の長手方向の中央部分を右側可動アーム１８４の下端部（自由端部）へ回転可能な状態で軸着し、右側役物本体１９４の長手方向の中央部分を右側可動アーム１８４の下端部（自由端部）に回転可能な状態で軸着している。なお、各役物本体１９３，１９４は、図１７に示すように、当該各役物本体１９３，１９４の後側（役物ベース１８１側）に位置する役物本体基部１９３ａ，１９４ａと、該役物本体基部１９３ａ，１９４ａの前面に装着された発光基板１９３ｂ，１９４ｂと、該発光基板１９３ｂ，１９４ｂを前方から被覆する透光可能な役物カバーパネル１９３ｃ，１９４ｃとを備えて構成されており、発光基板１９３ｂ，１９４ｂに実装されたＬＥＤが発光すると、この光が役物カバーパネル１９３ｃ，１９４ｃを透過して上側役物ユニット１２７の前方へ照射されるように構成されている。
【００６７】
このような構成を備えた上側役物ユニット１２７においては、上側役物駆動機構１９０により一対の各役物本体１９３，１９４を昇降させ、各役物本体１９３，１９４を表示部４２ａよりも上方に設定された上死点に位置させて上部発光装飾ユニット７１の後方に隠す演出非実行状態（図２および図３参照）と、表示部４２ａの前方に設定された下死点に位置させて表示装置４２の前方に出現させる演出実行状態（図２０参照）とに変換する。具体的に説明すると、常態である演出非実行状態では、図１８（ａ）および図１９（ａ）に示すように、各アーム付勢部材１８７，１８８の付勢力により各可動アーム１８３，１８４を上方へ回転して横向き姿勢に設定するとともにスライドプレート１８２を上死点に配置し、左側役物本体１９３および右側役物本体１９４をそれぞれ役物ギアユニット１９５から側方に延在する横向き姿勢にして上死点（正面から見て表示部４２ａの上方にずれた場所）に位置させている。このとき、左側可動アーム１８３に突設された演出非実行検出片１９７が役物ベース１８１に装着された上側役物検出スイッチ１９８により検出され、この検出信号を受信することにより遊技制御装置４５が上側役物ユニット１２７の演出非実行状態を把握するように構成されている。
【００６８】
そして、上側役物ユニット１２７を演出非実行状態から演出実行状態へ変換するには、上側駆動モータ１９０ａを駆動して上側駆動アーム１９０ｃを下方へ回転する。すると、図１８（ｂ）および図１９（ｂ）に示すように、上側駆動アーム１９０ｃから受ける押し下げ力により左側可動アーム１８３が左側アーム付勢部材１８７の付勢力に抗して下方へ回転し、さらには、左側可動アーム１８３と係合する右側可動アーム１８４が右側アーム付勢部材１８８の付勢力に抗して下方へ回転するとともに、各可動アーム１８３，１８４と係合するスライドプレート１８２が下死点まで下降する。また、左側役物本体１９３および右側役物本体１９４が各可動アーム１８３，１８４の下端部とともに下降しながら役物ギアユニット１９５を中心にそれぞれ上方へ回転して起立姿勢になり、表示部４２ａの中央部分の前方に設定された下死点で横に並ぶ。
【００６９】
さらに、上側役物ユニット１２７を演出実行状態から演出非実行状態へ戻すには、上側駆動モータ１９０ａを逆転駆動して上側駆動アーム１９０ｃを上方へ回転する。すると、上側駆動アーム１９０ｃから受ける押し上げ力および左側アーム付勢部材１８７の付勢力により左側可動アーム１８３が上方へ回転し、さらには、左側可動アーム１８３と係合する右側可動アーム１８４が右側アーム付勢部材１８８の付勢力により上方へ回転するとともに、各可動アーム１８３，１８４と係合するスライドプレート１８２が上昇する。また、左側役物本体１９３および右側役物本体１９４が各可動アーム１８３，１８４の下端部とともに上昇しながら役物ギアユニット１９５を中心にそれぞれ下方へ回転して横向き姿勢になり、表示部４２ａの上方にずれて上死点に位置する。
【００７０】
次に、パチンコ遊技機１の遊技進行等の制御を行う遊技制御装置４５、および該遊技制御装置４５を中心とする制御系統について説明する。
遊技制御装置４５は、図２１に示すように、遊技制御を司るＣＰＵ、遊技制御のための制御プログラム等を記憶しているＲＯＭ、および遊技制御時にワークエリアとして利用されるＲＡＭ、入力部（入力インターフェース）、出力部（出力インターフェース）等から構成されている。そして、各種検出装置（ゲートスイッチ４７、入賞口スイッチ４８，５０、カウントスイッチ（大入賞口スイッチ）４９、第１始動口スイッチ５１、第２始動口スイッチ５２、盤電波センサ２０１、磁気センサ２０２、保持枠（ガラス枠）開放検出スイッチ２０３、前面枠（本体枠）開放検出スイッチ２０４、電源装置２０５等）からの検出信号を受けて、特別遊技状態（大当たり状態）、遊技者に対する報知、停電対応処理等、種々の処理を行う。さらに、演出制御装置４６や払出制御装置２０７の他、大入賞口３６を開閉するための大入賞口ソレノイド１１６、普通電動役物３２ａを開閉するための普電ソレノイド２０８、一括表示装置３９、外部情報端子２０９等に指令信号を送信して、遊技を統括的に制御する。
【００７１】
演出制御装置４６は、図２２に示すように、演出制御を司るＣＰＵ、演出制御のための制御プログラムを格納したＰＲＯＭ、画像データ等を格納した画像ＲＯＭ、演出制御時のワークエリアとして利用されるＶＲＡＭ、入力インターフェース、出力インターフェース等から構成されている。そして、パチンコ遊技機１における遊技の進行に伴って発生する信号、具体的には、遊技制御装置４５からの制御信号、遊技演出ボタン１７に設けられた演出ボタンスイッチ２１２からの信号、各演出用役物装置に設けられたセンサからの信号等に基づいて、各演出用役物装置の演出動作を制御する。詳しくは、表示装置４２の表示部４２ａの表示、上側スピーカ１１や下側スピーカ１６からの効果音出力、遊技盤６に設けられた盤装飾装置（発光装飾ユニット７１，７２等）の発光や透明部材保持枠８に設けられたＬＥＤ等の枠装飾装置２１４の発光、遊技盤６に設けられた盤演出装置（フレームユニット１２６、上側役物ユニット１２７、下側役物ユニット１２８等）や透明部材保持枠８に設けられた演出部材（図示せず）を駆動するモータ等の枠演出装置２１５の駆動を制御する。
【００７２】
そして、図２０に示すように、遊技の進行に伴う演出制御において上側役物ユニット１２７を演出実行状態へ変換するタイミングが到来すると、演出制御装置４６は、遊技制御装置４５からの指令に基づいて上側役物ユニット１２７を演出実行状態へ変換し、表示部４２ａのうち前方の各役物本体１９３，１９４と前後に並ぶ箇所には、演出実行状態における一対の各役物本体１９３，１９４の正面画像Ｇを表示する。したがって、仮に上側役物ユニット１２７に不具合が生じて演出実行状態に変換できなくなったとしても、遊技者は、演出実行状態の各役物本体１９３，１９４の姿を見ることができ、違和感なく遊技を楽しむことができる。
【００７３】
ところで、上記実施形態の大入賞ユニット２７においては、前面構成部１０１の装飾を遊技者側から視認可能とするために、球誘導部１２１の全体を透光部材で形成したが、本発明はこれに限定されない。要は、前面構成部１０１の装飾を遊技者側から視認可能であれば、どのような構成の装飾視認部を球誘導部１２１に適用してもよい。例えば、球誘導部１２１の全体ではなく一部を透光部材で形成して装飾視認部（視認窓）を構成してもよい。球誘導部１２１の少なくとも一部を透光部材で形成することで装飾視認部を構成すれば、球誘導部１２１の形状を制限せずに装飾視認部を備えることができる。
【００７４】
また、図２３および図２４に示す第２実施形態の前面構成部１０１′においては、前面構成パネル２２０と球誘導部２２１とを一体成型し、球誘導部２２１のうち前面構成部１０１′の装飾と重なる箇所を横長なスリット状に開放して装飾視認部２２２を構成し、装飾視認部２２２から前面構成パネル２２０の装飾Ｄを視認可能としている。このようにして前面構成パネル２２０の装飾Ｄを覆わずに装飾視認部２２２から露出させれば、前面構成部１０１′の装飾Ｄの視認性を十分に確保することができる。なお、球誘導部２２１の前方への突出寸法を調整すれば、図２４に示すように、装飾視認部２２２の奥に位置する前面構成パネル２２０の装飾Ｄを斜め上方向からでも視認することができる。また、球誘導部２２１を前面構成部１０１′の外側の縁に沿って立設することで装飾視認部２２２を拡張すれば、前面構成部１０１′の装飾Ｄをパチンコ遊技機１の前面側からより一層視認可能となる。
【００７５】
ところで、上記実施形態では、装飾視認部が設けられる入賞ユニットとして大入賞ユニット２７を例示したが、本発明はこれに限定されない。要は、遊技球を入賞口へ入賞可能とする開状態と、入賞不能とする閉状態とに変換可能であれば、大入賞口とは異なる入賞口を備えた入賞ユニットに装飾視認部を設けてもよい。例えば、普図電動役物により始動入賞口を開閉可能とした始動入賞ユニットを本発明における入賞ユニットとし、この始動入賞ユニットの前面の装飾が装飾視認部を通して視認できるように構成してもよい。
【００７６】
ところで、従来の遊技機においては、複数の透光領域を点灯状態（光を透光領域に通して遊技者側へ照射する状態）にして演出を行うものがあるが、透光領域の点灯の所謂クロストーク（発光部材の光が対応外の透光領域をも透過してしまう不都合）が発生することがあり、発光による演出を鮮明に行うことができない虞がある。
【００７７】
そこで、発光による演出を鮮明に行うことができる遊技機を提供するべく、上記実施形態の内容から次の第１発明が挙げられる。
【００７８】
すなわち、第１発明は、発光により装飾を行う発光装飾ユニットを備えた遊技機において、
前記発光装飾ユニットは、
複数の発光部材と、
該発光部材から受けた光を拡散する光拡散部材と、
前記発光部材毎に対応する複数の透光領域を区画形成し、前記光拡散部材により拡散された光を前記透光領域に透過させて遊技者側へ出射する装飾レンズと、を備え、
前記光拡散部材は、隣り合う前記透光領域の境界部分と重なる箇所を開口したことを特徴とする遊技機である。
【００７９】
第１発明によれば、隣り合う透光領域の境界部分に光拡散部材からの拡散光を照射し難くすることができる。これにより、透光領域の点灯の所謂クロストーク（発光部材の光が対応外の透光領域をも透過してしまう不都合）を抑制することができ、発光による演出を鮮明に行うことができる。
【００８０】
ところで、従来の遊技機においては、可動演出ユニットによる演出を実行するために、複雑な構造を備えたり複雑な制御を行ったりするものがあり、改善の余地を残している。
【００８１】
そこで、複雑な制御を必要とせず、可動演出ユニットのコストダウンを図ることができる遊技機を提供するべく、上記実施形態の内容から次の第２発明が挙げられる。
【００８２】
すなわち、第２発明は、回転動作を行う可動演出ユニットを備えた遊技機において、
前記可動演出ユニットは、回転可能な回転部材と、該回転部材の回転を規制する規制部材と、を備え、前記回転部材または前記規制部材の少なくともいずれかを移動して前記回転部材と前記規制部材との離間距離を変更可能とし、
前記回転部材は、予め設定された通常回転姿勢、第１回転姿勢、第２回転姿勢の順に回転可能であり、当該回転部材の回転軸部には、当該回転部材と共回りする第１係合部および第２係合部を外方へそれぞれ延出するとともに、前記回転軸部周りに位相がずれた状態で配置し、
前記規制部材は、前記第１係合部に係合可能な第１係合規制部と、前記第２係合部に係合可能な第２係合規制部と、を備え、
前記可動演出ユニットが前記回転部材と前記規制部材とを最も近づけることで設定される演出非実行状態では、前記第１係合部を前記第２係合部よりも前記規制部材側に配置して前記第１係合規制部へ係合することで、前記回転部材を前記通常回転姿勢に設定し、
前記可動演出ユニットが前記回転部材と前記規制部材とを前記演出非実行状態よりも離して第１演出実行状態に変換すると、前記第１係合部と前記第１係合規制部との係合を解除するとともに前記第２係合部と前記第２係合規制部とを係合して、前記回転部材を前記通常回転姿勢から前記第１回転姿勢へ変換させ、
前記可動演出ユニットが前記回転部材と前記規制部材とを前記第１演出状態よりも離して第２演出実行状態に変換すると、前記第２係合部と前記第２係合規制部との係合を解除して、前記回転部材を前記第１回転姿勢から前記第２回転姿勢へ変換させることを特徴とする遊技機である。
【００８３】
第２発明によれば、回転部材の回転制御を簡単な構成で行うことができる。これにより、複雑な制御を必要とせず、可動演出ユニットのコストダウンを図ることができる。また、可動演出ユニットに設けられる係合部と係合規制部との組み合わせを２組にすることにより、回転部材に掛かる負荷を分散させることができ、可動演出ユニットの長寿命化を図ることができる。
【００８４】
そして、上記実施形態では、代表的な遊技機であるパチンコ遊技機を例にして説明したが、本発明はこれに限らず、遊技球を入賞口へ入賞可能とする開状態と、入賞不能とする閉状態とに変換可能な入賞ユニットを備えた遊技機であればどのような遊技機でもよい。例えば、封入球式パチンコ機、アレンジボール式遊技機、雀球式遊技機等の遊技機であってもよい。
【００８５】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００８６】
１  パチンコ遊技機
５  遊技領域
６  遊技盤
２３  センターケース
２５  始動入賞ユニット
２７  大入賞ユニット
３６  大入賞口
３７  一般入賞口
４２  表示装置
４５  遊技制御装置
４６  演出制御装置
７１  上部発光装飾ユニット
７２  側部発光装飾ユニット
８０  上部ユニットベース
８０ｄ  上部発光部材
８１  上部導光部材
８２  上部光拡散部材
８２ｂ  上部拡散抑制開口
８３  上部装飾レンズ
８３ｃ  上部透光領域
９０  側部ユニットベース
９０ｃ  側部発光部材
９１  側部導光部材
９２  側部光拡散部材
９２ｂ  側部拡散抑制開口
９３  側部装飾レンズ
９３ａ  側部透光領域
１０１，１０１′  前面構成部
１０２  ユニット本体部
１０４  前面装飾パネル
１０５  大入賞露出開口
１０８  ユニットベース
１１５  入賞開閉部材
１２１  球誘導部
１２１ａ  誘導基部
１２１ｂ  球転動棚部
１２１ｃ  球落下阻止突起
１２７  上側役物ユニット
１３５  左側装飾パネル
１３６  右側装飾パネル
１３７  左側可動演出ユニット
１３８  右側可動演出ユニット
１４３  左側回転部材
１４４  左側規制部材
１４４ａ  第１左側係合規制部
１４４ｂ  第２左側係合規制部
１４８  左側回転本体
１５１  第１左側係合部
１５２  第２左側係合部
１６３  右側回転部材
１６４  右側規制部材
１６４ａ  第１右側係合規制部
１６４ｂ  第２右側係合規制部
１６８  右側回転本体
１７１  第１右側係合部
１７２  第２右側係合部
２２０  前面構成パネル
２２１  球誘導部
２２２  装飾視認部
【図１】
2016154676.tif 000003
【図２】
2016154676.tif 000004
【図３】
2016154676.tif 000005
【図４】
2016154676.tif 000006
【図５】
2016154676.tif 000007
【図６】
2016154676.tif 000008
【図７】
2016154676.tif 000009
【図８】
2016154676.tif 000010
【図９】
2016154676.tif 000011
【図１０】
2016154676.tif 000012
【図１１】
2016154676.tif 000013
【図１２】
2016154676.tif 000014
【図１３】
2016154676.tif 000015
【図１４】
2016154676.tif 000016
【図１５】
2016154676.tif 000017
【図１６】
2016154676.tif 000018
【図１７】
2016154676.tif 000019
【図１８】
2016154676.tif 000020
【図１９】
2016154676.tif 000021
【図２０】
2016154676.tif 000022
【図２１】
2016154676.tif 000023
【図２２】
2016154676.tif 000024
【図２３】
2016154676.tif 000025
【図２４】
2016154676.tif 000026